(57)【要約】【課題】目地のシール作業の容易化が図れる外壁パネルの目地構造および外壁面材用のふさぎ部材を提供する。【解決手段】外壁パネルの目地構造は、左右に隣り合う外壁面材５１間の縦目地Ｊと、上下に嵌合する外壁面材５１間の横目地Ｋとが交差する十字状目地部にふさぎ部材６が装着される外壁パネルの目地構造である。上記ふさぎ部材６は、下側の外壁面材５１の上部の角に装着されることで屋外側に位置する耐候性を有する第１面部６１（屋外側前面部）を備えている。上記第１面部６１（屋外側前面部）は、上側の外壁面材５１の屋外板における下部突出部５１ｈの下端から下方に出て、上記十字状目地部の上記横目地において露出する。【選択図】図６
2020165249.tif 000002
【特許請求の範囲】
【請求項１】
左右に隣り合う外壁面材間の縦目地と、上下に嵌合する外壁面材間の横目地とが交差する十字状目地部の上記横目地側にふさぎ部材が装着される外壁パネルの目地構造であって、
上記ふさぎ部材は、上記十字状目地部の上記横目地側に装着されることで屋外側に位置する耐候性の屋外側前面部を備えており、
上記屋外側前面部は、上側の外壁面材の屋外板における下部突出部の下端から下方に出て、上記十字状目地部の上記横目地側において露出することを特徴とする外壁パネルの目地構造。
【請求項２】
請求項１に記載の外壁パネルの目地構造において、上記ふさぎ部材は、上記縦目地側に位置する縦目地側側面部を有することを特徴とする外壁パネルの目地構造。
【請求項３】
請求項２に記載の外壁パネルの目地構造において、上記ふさぎ部材は、上記屋外側前面部の上部および上記縦目地側側面部の上部と繋がる天面部を有することを特徴とする外壁パネルの目地構造。
【請求項４】
請求項２または請求項３に記載の外壁パネルの目地構造において、上記縦目地側側面部は、上記上側の外壁面材の屋外板を縦目地側に折り曲げた曲げ部と、下側の外壁面材の屋外板を縦目地側に折り曲げた曲げ部との間の隙間を埋めるように突出する第１突起部を有することを特徴とする外壁パネルの目地構造。
【請求項５】
請求項２〜請求項４のいずれか１項に記載の外壁パネルの目地構造において、上記縦目地側側面部は、上記上側の外壁面材の屋外板を縦目地側に折り曲げた曲げ部における下端側に向かって突出する第２突起部を有することを特徴とする外壁パネルの目地構造。
【請求項６】
請求項２〜請求項５のいずれか１項に記載の外壁パネルの目地構造において、上記縦目地側側面部は、上記上側の外壁面材の屋外板を縦目地側に折り曲げた曲げ部に対して、上側ほど離間する傾斜部を有することを特徴とする外壁パネルの目地構造。
【請求項７】
請求項１〜請求項６のいずれか１項に記載の外壁パネルの目地構造において、上記屋外側前面部は、上記上側の外壁面材の屋外板の下部突出部の屋内面に向かって突出する第３突起部を有することを特徴とする外壁パネルの目地構造。
【請求項８】
外壁面材の上下嵌合箇所の縁側に装着される外壁面材用のふさぎ部材であって、
縦配置される第１面部と、
縦配置され、上記第１面部の縦縁から当該第１面部に対して交差する方向に延びる第２面部と、
上記第１面部の上部と上記第２面部の上部を繋ぐ横配置の第３面部と、を備え、
上記外壁面材への装着状態で、上記第１面部と上記第２面部と上記第３面部との交差箇所が下側の外壁面材の上部の角に位置する内側角部となり、且つ上記第１面部が屋外側に位置する部位となり、
少なくとも上記第１面部が耐候性を有することを特徴とする外壁面材用のふさぎ部材。
【請求項９】
左右に隣り合う外壁面材間の縦目地と、上下に嵌合する外壁面材間の横目地とが交差する十字状目地部の上記横目地側に用いられる請求項８に記載の外壁面材用のふさぎ部材であって、
上記第１面部は、屋外側に位置し、上記横目地に露出する屋外側前面部であり、
上記第２面部は、上記縦目地側に位置する縦目地側側面部であり、
上記第３面部は、上記屋外側前面部の上部および上記縦目地側側面部の上部に繋がる天面部であることを特徴とする外壁面材用のふさぎ部材。
【発明の詳細な説明】
【技術分野】
【０００１】
この発明は、建物の外壁をなす外壁パネルの目地構造および外壁面材用のふさぎ部材に関する。
【背景技術】
【０００２】
特許文献１の背景技術には、外壁パネルの表面を構成する鋼板の端部に折り曲げ片を設け、この折り曲げ片を目地部で隣り合う外壁パネルの折り曲げ片と重ね合わせ、この目地部にシーリング材を充填することで防水することが記載されている。さらに、この特許文献１は、無足場施工を実現するべく、外壁における左右に隣り合う外壁パネル間の縦目地を形成するパネル端面が、表裏の金属板とは別体の型材からなり、これら型材間に水密性確保のための二次部材が設けられた外壁構造を開示している。
【０００３】
また、外壁面材を上下左右に合わせてできる縦目地および横目地の交差箇所における当該外壁面材の角部に対しては、スポンジによる止水処理が行われていた。
【先行技術文献】
【特許文献】
【０００４】
【特許文献１】特開２０１６−０９４７９１号公報
【発明の概要】
【発明が解決しようとする課題】
【０００５】
しかしながら、上記特許文献１の外壁構造では、外壁パネルの端面が表裏の金属板とは別体の型材からなるため、外壁パネルの構造が複雑化し、外壁が割高になる欠点がある。
【０００６】
また、上記止水処理においては、上記スポンジが太陽光で劣化するため、当該スポンジが横目地に露出しないようにする必要があり、また、多くの不定形シール材を塗布する必要があり、目地のシール作業に多くの時間が必要であった。また、上記スポンジが横目地に露出すると、外壁の見栄えも悪くなるという欠点がある。
【０００７】
この発明は、上記の事情に鑑み、目地のシール作業の容易化が図れる外壁パネルの目地構造および外壁面材用のふさぎ部材を提供することを課題とする。
【課題を解決するための手段】
【０００８】
この発明の外壁パネルの目地構造は、左右に隣り合う外壁面材間の縦目地と、上下に嵌合する外壁面材間の横目地とが交差する十字状目地部の上記横目地側にふさぎ部材が装着される外壁パネルの目地構造であって、
上記ふさぎ部材は、上記十字状目地部の上記横目地側に装着されることで屋外側に位置する耐候性の屋外側前面部を備えており、
上記屋外側前面部は、上側の外壁面材の屋外板における下部突出部の下端から下方に出て、上記十字状目地部の上記横目地側において露出することを特徴とする外壁パネル。
【０００９】
上記の構成であれば、上記屋外側前面部が、上側の外壁面材の屋外板における下部突出部の下端から下方に出て、上記十字状目地部の上記横目地に露出しても、上記屋外側前面部は、耐候性を有するので、太陽光による劣化が生じにくい。また、横目地に露出しないようにスポンジを用いてシールを行う場合に比べ、不定形シール材の塗布量を低減でき、シール作業の時間短縮を図ることができる。また、スポンジを用いる場合の見栄えの低下も防止できる。また、ふさぎ部材が露出すると、ふさぎ部材の有無の確認が可能になり、ふさぎ部材の付け忘れの防止が図れる。
【００１０】
上記ふさぎ部材は、上記縦目地側に位置する縦目地側側面部を有してもよい。これによれば、上記縦目地側での止水が図れる。
【００１１】
上記ふさぎ部材は、上記屋外側前面部の上部および上記縦目地側側面部の上部と繋がる天面部を有してもよい。これによれば、上下の外壁面材の上下端の嵌合の隙間箇所に上記天面部が介在し、上記隙間箇所の止水が図れる。
【００１２】
上記縦目地側側面部は、上記上側の外壁面材の屋外板を縦目地側に折り曲げた曲げ部と、下側の外壁面材の屋外板を縦目地側に折り曲げた曲げ部との間の隙間を埋めるように突出する第１突起部を有してもよい。これによれば、上記隙間からの水の浸入を抑制することができる。
【００１３】
上記縦目地側側面部は、上記上側の外壁面材の屋外板を縦目地側に折り曲げた曲げ部における下端に向かって突出する第２突起部を有してもよい。これによれば、上記上側の外壁面材の屋外板を縦目地側に折り曲げた曲げ部における下端の上側への折り返し部からの水の浸入を抑制することができる。
【００１４】
上記縦目地側側面部は、上記上側の外壁面材の屋外板を縦目地側に折り曲げた曲げ部に対して、上側ほど離間する傾斜部を有してもよい。これによれば、下側の外壁面材の角に当該ふさぎ部材が装着された状態で、上側の外壁面材が下側の外壁面材に嵌合されるとき、上記ふさぎ部材の上部が、上記傾斜部の存在によって、上側の外壁面材の上記曲げ部の下端に当たり難くなるため、上記ふさぎ部材のつぶれを抑制することができる。
【００１５】
上記屋外側前面部は、上記上側の外壁面材の屋外板の下部突出部の屋内面に向かって突出する第３突起部を有してもよい。これによれば、上記上側の外壁面材の屋外板の下部突出部の屋内面からの水の浸入を抑制できる。
【００１６】
また、この発明の外壁面材用のふさぎ部材は、外壁面材の上下嵌合箇所の縁側に装着される外壁面材用のふさぎ部材であって、
縦配置される第１面部と、
縦配置され、上記第１面部の縦縁から当該第１面部に対して交差する方向に延びる第２面部と、
上記第１面部の上部と上記第２面部の上部を繋ぐ横配置の第３面部と、を備え、
上記外壁面材への装着状態で、上記第１面部と上記第２面部と上記第３面部との交差箇所が下側の外壁面材の上部の角に位置する内側角部となり、且つ上記第１面部が屋外側に位置する部位となり、
少なくとも上記第１面部が耐候性を有することを特徴とする。
【００１７】
上記の構成であれば、上記屋外側に位置する上記第１面部は、耐候性を有するので、太陽光による劣化が生じにくい。
【００１８】
また、この発明の外壁面材用のふさぎ部材は、左右に隣り合う外壁面材間の縦目地と、上下に嵌合する外壁面材間の横目地とが交差する十字状目地部の上記横目地側に用いられる上記の外壁面材用のふさぎ部材であって、
上記第１面部は、屋外側に位置し、上記横目地に露出する屋外側前面部であり、
上記第２面部は、上記縦目地側に位置する縦目地側側面部であり、
上記第３面部は、上記屋外側前面部の上部および上記縦目地側側面部の上部に繋がる天面部であることを特徴とする。
【００１９】
上記の構成であれば、上記屋外側前面部である上記第１面部は、耐候性を有するので、太陽光による劣化が生じにくい。また、横目地に露出しないようにスポンジを用いてシールを行う場合に比べ、不定形シール材の塗布量を低減でき、シール作業の時間短縮を図ることができる。また、スポンジを用いる場合の見栄えの低下も防止できる。また、ふさぎ部材が露出すると、ふさぎ部材の有無の確認が可能になり、ふさぎ部材の付け忘れの防止が図れる。
【発明の効果】
【００２０】
本発明であれば、ふさぎ部材は耐候性を有するので、太陽光による劣化が生じ難く、また、外壁パネルの横目地に露出しないようにスポンジを用いてシールを行う場合に比べ、不定形シール材の塗布量を低減でき、シール作業の時間短縮を図ることができる等の効果を奏する。
【図面の簡単な説明】
【００２１】
【図１】大判化外壁パネルの構造例を示した概略の斜視図である。
【図２】同図（Ａ）は図１の外壁面材における外壁面材の上部および下部を示した断面図であり、同図（Ｂ）は図１の上下に配置された外壁面材の嵌め込み箇所の断面図である。
【図３】図１の外壁面材の部分透視平面図である。
【図４】実施形態のふさぎ部材の概略の透視斜視図である。
【図５】左右の外壁面材間で縦目地が形成されることを示す説明図である。
【図６】同図（Ａ）は図４のふさぎ部材と上側の外壁面材との位置関係を示した斜視による説明図であり、同図（Ｂ）は、上記ふさぎ部材と下側の外壁面材との位置関係を示した斜視による説明図である。
【図７】左右に隣り合う外壁面材間の縦目地と、上下に嵌合する外壁面材間の横目地とが交差する十字状目地部に図４のふさぎ部材が装着される外壁パネルの目地構造を示した概略の透視立面図である。
【図８】他の実施形態に係るふさぎ部材の複数方向からの斜視を示した斜視図である。
【図９】図８のふさぎ部材と上側の外壁面材との位置関係を示した斜視図である。
【発明を実施するための形態】
【００２２】
以下、この発明の実施の形態を添付図面に基づいて説明する。
図１に示すように、建物の外壁を構成する大判化外壁パネル５は、例えば、複数の横長の外壁面材５１を上下に配置して下地材５２で相互に連結された構造を有する。図１に示す例では、上記下地材５２として、Ｃ形鋼からなる縦胴縁５２ａを複数本備えている。また、上下の外壁面材５１間には、横目地Ｋが形成される。
【００２３】
上記外壁面材５１は、例えば、図２（Ａ）および図２（Ｂ）に示すように、断熱材５１ａを鋼板５１ｂ、５１ｃで挟み込んだ金属サンドイッチパネルである。２枚の外壁面材５１を上下に配置した場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように組み合わされる。
【００２４】
また、外壁面材５１の側面部には、外壁面材５１の壁面と平行に止水板部５１ｆが突出している。上下に位置する外壁面材５１においては、例えば、下側となる止水板部５１ｆの上端部分が屋内側に出るように曲げられており、この下側の止水板部５１ｆの上端部分と上側の止水板部５１ｆの下端部分とが重なることができる。
【００２５】
なお、図示しない地組架台を用いると、上記複数の外壁面材５１を上下に並べて下地材５２で連結した大判化外壁パネル５を、当該大判化外壁パネル５が取り付けられる建物の躯体の外壁取付箇所とは異なる場所で組み立てることができる。そして、この大判化外壁パネル５を、クレーン等で吊り上げ、建物の躯体の外壁取付箇所に取り付けて外壁を構成することができる。
【００２６】
また、上記止水板部５１ｆは、屋外側に位置する鋼板５１ｂの左右端部を略９０度折り曲げることで、外壁面材５１の壁面と平行とされる。また、各外壁面材５１の左右両側の止水板部５１ｆの形成位置については、屋外側の壁面からの距離を幾分違えてあり、左右の外壁面材５１の両止水板部５１ｆ同士が重なるときに、左右の外壁面材５１の外壁表面の出量に差異が生じ難いようにしている。
【００２７】
また、各外壁面材５１の止水板部５１ｆには、例えば、この外壁面材５１の工場出荷段階で以下に示す止水部材が装着される。そして、外壁面材５１が上下に並べられて大判化外壁パネル５が製作されるとき、上下の外壁面材５１，５１における止水板部５１ｆの重なり箇所では、止水部材も重なることになる。
【００２８】
この実施形態では、図３に示すように、各外壁面材５１の屋外側に配置される止水板部５１ｆには、ゴム等からなる耐候性を有する止水部材１が装着される。また、各外壁面材５１の屋内側に配置される止水板部５１ｆには、特に耐候性を有しない発泡樹脂からなる止水部材２が装着される。ここで、上記の耐候性とは、太陽光からの光線の影響、雨水などによる分解や浸食、温度変化による材料の伸縮の影響などに起因した、変形、変色、劣化等が生じ難く、屋外の自然環境での使用に耐え得る性質があることをいう。
【００２９】
また、上記複数の外壁面材５１を上下に並べて下地材５２で連結した大判化外壁パネル５を作成する際には、上下に嵌合する外壁面材５１間の横目地側の端となる箇所に、ふさぎ部材６が装着される。このふさぎ部材については、後述する。
【００３０】
図５に示すように、左右に隣り合う外壁面材５１，５１の互いに近接する止水板部５１ｆ、５１ｆ同士が重なり合うことで、縦方向の縦目地Ｊが形成される。また、止水板部５１ｆ、５１ｆ同士の重なり合いにおいては、耐候性を有する止水部材１が屋外側に位置される。そして、上記大判化外壁パネル５においては、クレーン等で吊り上げられ、建物の躯体の外壁取付箇所に取り付けたときに、隣の大判化外壁パネル５との間で、互いに近接する止水板部５１ｆ、５１ｆ同士が重なり合う。
【００３１】
なお、建物の躯体の外壁取付箇所に取り付けられた大判化外壁パネル５，５間の裏側（屋内側）には、耐風板５３が設けられる。この耐風板５３は、外壁面材５１の屋内側の鋼板５１ｃに対面し、この鋼板５１ｃと耐風板５３との間に発泡樹脂テープ５３ａを介在させた状態で、ビス５３ｂによって鋼板５１ｃに固定されている。
【００３２】
上記ふさぎ部材６は、図４に示すように、縦配置される第１面部６１と、縦配置され、上記第１面部６１の縦縁から当該第１面部６１に対して交差する方向に延びる第２面部６２と、上記第１面部６１の上端の横縁と上記第２面部６２の上端の横縁を繋ぐ横配置の第３面部６３と、を備える。
【００３３】
上記ふさぎ部材６は、図６（Ａ）、図６（Ｂ）および図７に示すように、上記外壁面材５１への装着状態で、上記第１面部６１と上記第２面部６２と上記第３面部６３との交差箇所が、下側の外壁面材５１の上部の角（凸部５１ｅの上端の縁側）に位置する内側角部となり、且つ上記第１面部６１が屋外側に位置する部位となる。なお、図６（Ａ）は、上側の外壁面材５１と上記ふさぎ部材６との位置関係を示し、図６（Ｂ）は、下側の外壁面材５１と上記ふさぎ部材６との位置関係を示している。
【００３４】
なお、図４、図６（Ａ）、図６（Ｂ）では、屋外側から向かって左側の外壁面材５１の右端角に装着されるふさぎ部材６を示している。屋外側から向かって右側の外壁面材５１の左端角に装着されるふさぎ部材は、上記ふさぎ部材６に対して面対称の形状を有する。説明の便宜上、上記左端角に装着されるふさぎ部材についてもふさぎ部材６と表記する。
【００３５】
上記ふさぎ部材６は、ゴム等を素材とした定型の部材であり、上記止水部材１と同様、耐候性を有する。なお、ふさぎ部材６における耐候性は、少なくとも上記第１面部６１において有すればよい。
【００３６】
また、上記ふさぎ部材６は、図７にも示すように、上記縦目地Ｊと上記横目地Ｋとが交差する十字状目地部における下側の外壁面材５１の上部の角に装着される。上記第１面部６１は、屋外側に位置する屋外側前面部をなし、上記第２面部６２は、上記縦目地Ｊ側に位置する縦目地側側面部をなし、上記第３面部６３は、上記第１面部６１（屋外側前面部）の上部および上記第２面部６２（縦目地側側面部）の上部と繋がる天面部をなす。
【００３７】
すなわち、上記ふさぎ部材６は、下側の外壁面材５１の上部の角に装着された状態で屋外側に位置することになる第１面部６１（屋外側前面部）を有し、上記第１面部６１（屋外側前面部）は、上側の外壁面材５１の屋外板（屋外側の鋼板５１ｂ）における下部突出部５１ｈの下端から下方に出て、上記十字状目地部の上記横目地Ｋにおいて露出する。
【００３８】
上記の目地構造であれば、上記ふさぎ部材６の第１面部６１（屋外側前面部）によって、横目地Ｋ側における上側の外壁面材５１の上記下部突出部５１ｈと下側の外壁面材５１の屋外板（鋼板５１ｂ）との間の止水が可能になる。そして、上記第１面部６１（屋外側前面部）が、上記下部突出部５１ｈの下端から下方に出て、上記横目地Ｋ側において露出しても、上記第１面部６１（屋外側前面部）は、耐候性を有するので、太陽光による劣化が生じにくい。また、横目地に露出しないようにスポンジを用いてシールを行う場合に比べ、不定形シール材の塗布量を低減でき、シール作業の時間短縮を図ることができる。また、スポンジを用いる場合の見栄えの低下も防止できる。また、ふさぎ部材が露出すると、ふさぎ部材の有無の確認が可能になり、ふさぎ部材の付け忘れの防止が図れる。
【００３９】
上記ふさぎ部材６が、上記縦目地Ｊ側に位置する上記第２面部６２（縦目地側側面部）を有すると、上記縦目地Ｊ側での止水が図れる。
【００４０】
上記ふさぎ部材６が、上記第３面部６３（天面部）を有すると、上下外壁面材５１の上下端の嵌合の隙間箇所に、上記第３面部６３（天面部）が介在し、上記隙間箇所の止水が図れる。
【００４１】
図７および図８に他の実施形態のふさぎ部材６Ａおよび外壁パネルの目地構造を示す。なお、上記実施形態と同様の部材には、同一の符号を付記して説明を省略する。
【００４２】
この実施形態のふさぎ部材６Ａにおける第２面部６２（縦目地側側面部）の上部には、上記上側の外壁面材５１の屋外板（鋼板５１ｂ）を縦目地Ｊ側に折り曲げた曲げ部５１ｐの裏面に対して、上側ほど離間する傾斜部６０４が形成されている。換言すれば、この傾斜部６０４は、上記第３面部６３（天面部）の第２面部６２（縦目地側側面部）寄りの箇所から、第２面部６２（縦目地側側面部）に近づくほど下り傾斜している。この傾斜部６０４の傾斜は、平面的な傾斜でもよいし、曲面的な傾斜でもよい。
【００４３】
また、上記ふさぎ部材６Ａにおける第２面部６２（縦目地側側面部）は、第１突起部６０１を有する。この第１突起部６０１は、上側の外壁面材５１の屋外板（鋼板５１ｂ）を縦目地Ｊ側に折り曲げた曲げ部５１ｐの裏面に向かって突出する。さらに詳しくは、上記第１突起部６０１は、上記曲げ部５１ｐと、下側の外壁面材５１の屋外板を縦目地側に折り曲げた曲げ部との間の隙間Ｇを埋めるように突出する。上記第１突起部６０１は、第２面部６２（縦目地側側面部）の屋内側の縁の近傍において縦方向に延設される。第１突起部６０１は、上記傾斜部６０４には至らない。
【００４４】
また、上記ふさぎ部材６Ａにおける第２面部６２（縦目地側側面部）は、第２突起部６０２を有する。この第２突起部６０２は、上側の外壁面材５１の屋外板（鋼板５１ｂ）を縦目地側に折り曲げた曲げ部５１ｐにおける下端の上側への折り返し部５１ｑに向かって突出し、第２面部６２（縦目地側側面部）の下縁の近傍において横方向に延設される。また、この実施形態では、上記第１突起部６０１と第２突起部６０２とが繋がってＬ字状をなす。なお、上記第１突起部６０１の突出高さを、第２突起部６０２の突出高さよりも高くしてもよい。
【００４５】
また、上記ふさぎ部材６Ａにおける第１面部６１（屋外側前面部）は、第３突起部６０３を有する。この第３突起部６０３は、上側の外壁面材５１の屋外板（鋼板５１ｂ）の下部突出部５１ｈの屋内面に向かって突出する。また、この第３突起部６０３は、Ｌ字形状をなしており、第１面部６１（屋外側前面部）の下縁から離れた箇所に横方向に延びる部分が形成されている。上記横方向に延びる部分は、上記下部突出部５１ｈの下端側の屋内面に対向する。そして、この実施形態では、上記横方向に延びる部分が上記第２突起部６０２に繋がっている。また、Ｌ字形状における縦方向部分は、第１面部６１（屋外側前面部）における上記第２面部６２（縦目地側側面部）から遠い側の縁の近傍において、第１面部６１（屋外側前面部）の上端近傍まで延設される。
【００４６】
また、上記ふさぎ部材６Ａの裏面は、凹凸形状を有する。例えば、下側の外壁面材５１の上部の横目地Ｋとなる箇所に対面する領域には、凸状部６１１が形成されている。また、下側の外壁面材５１の上部の角の縁に対面する箇所には、凸状部６１２が形成されている。これにより、上記ふさぎ部材６Ａの裏面の多くが、上記下側の外壁面材５１の上部に接することができる。また、上記凸状部６１１および凸状部６１２の表面は、例えば、両面テープの貼付によって、粘着面（クロスハッチング参照）となっており、下側の外壁面材５１の上部に粘着固定させることができる。この粘着固定により、上下の外壁面材５１を上下嵌合させる際のふさぎ部材６Ａの脱落を防止することができる。
【００４７】
また、上記第２面部６２（縦目地側側面部）が、上記第１突起部６０１を有すると、上記曲げ部５１ｐと、下側の外壁面材５１の屋外板を縦目地側に折り曲げた曲げ部との間の隙間Ｇからの水の浸入を抑制することができる。この実施形態では、上記止水板部５１ｆには、上記止水部材１，２が設けられており、上記隙間Ｇにおいて高い止水性能が得られる。
【００４８】
上記第２面部６２（縦目地側側面部）が、上記第２突起部６０２を有すると、上記上側の外壁面材５１の屋外板（鋼板５１ｂ）における折り返し部５１ｑからの水の浸入を抑制することができる。
【００４９】
上記第２面部６２（縦目地側側面部）が、上記傾斜部６０４を有すると、下側の外壁面材５１の角に当該ふさぎ部材６Ａが装着された状態で、上側の外壁面材５１が下側の外壁面材５１に嵌合されるとき、上記ふさぎ部材６Ａの上部角が、上記傾斜部６０４の存在によって、上側の外壁面材５１の下端に当たり難くなるため、上記ふさぎ部材６Ａのつぶれを抑制することができる。
【００５０】
上記第１面部６１（屋外側前面部）が、上記第３突起部６０３を有すると、上記上側の外壁面材５１の屋外板（鋼板５１ｂ）の下部突出部５１ｈの屋内面からの水の浸入を抑制できる。
【００５１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００５２】
１      ：止水部材
２      ：止水部材
５      ：大判化外壁パネル
６      ：ふさぎ部材
６Ａ    ：ふさぎ部材
５１    ：外壁面材
５１ａ  ：断熱材
５１ｂ  ：鋼板
５１ｃ  ：鋼板
５１ｄ  ：凹部
５１ｅ  ：凸部
５１ｆ  ：止水板部
５１ｈ  ：下部突出部
５１ｐ  ：曲げ部
５１ｑ  ：折り返し部
５２    ：下地材
５２ａ  ：縦胴縁
５３    ：耐風板
５３ａ  ：発泡樹脂テープ
５３ｂ  ：ビス
６１    ：第１面部
６２    ：第２面部
６３    ：第３面部
６０１  ：第１突起部
６０２  ：第２突起部
６０３  ：第３突起部
６０４  ：傾斜部
６１１  ：凸状部
６１２  ：凸状部
Ｇ      ：隙間
Ｊ      ：縦目地
Ｋ      ：横目地
【図１】
2020165249.tif 000003
【図２】
2020165249.tif 000004
【図３】
2020165249.tif 000005
【図４】
2020165249.tif 000006
【図５】
2020165249.tif 000007
【図６】
2020165249.tif 000008
【図７】
2020165249.tif 000009
【図８】
2020165249.tif 000010
【図９】
2020165249.tif 000011